(57)【特許請求の範囲】
【請求項１】
容器内に行列状に整列して配置されるボトルの首部に引っ掛けられ、隣接するボトル同士を区画する仕切り用パッドであって、
１枚のシート材から構成され、
その外周縁に直線状の一対の接続縁を有する接続板と、
上記一対の接続縁から延出する一対の仕切り片と
を備え、
上記接続板が、上記首部に係合する開口又は切り欠きを有し、
上記一対の仕切り片が、上記接続縁で折り曲げられることで、上記ボトルの胴部を平面視で直交する方向から被覆し、
上記一対の仕切り片以外の仕切り片を備えない仕切り用パッド。
【請求項２】
上記一対の仕切り片が、上記ボトルの胴部を被覆した状態で、上記胴部の中心軸と平行に延びている請求項１に記載の仕切り用パッド。
【請求項３】
上記一対の接続縁同士が垂直に配置されている請求項１又は請求項２に記載の仕切り用パッド。
【請求項４】
上記一対の接続縁同士が間隔を空けて配置されている請求項１から請求項３のいずれか１項に記載の仕切り用パッド。
【請求項５】
上記接続板が、上記開口又は切り欠きのエッジから延出し、上記首部を押止する舌片を有する請求項１から請求項４のいずれか１項に記載の仕切り用パッド。
【請求項６】
上記シート材が段ボールシートである請求項１から請求項５のいずれか１項に記載の仕切り用パッド。
【請求項７】
容器と、
上記容器内に行列状に整列して配置される複数のボトルと、
上記ボトルの首部に引っ掛けられ、隣接するボトル同士を区画する仕切り用パッドと
を備え、
上記仕切り用パッドが、
その外周縁に直線状の一対の接続縁を有する接続板と、
上記一対の接続縁から延出する一対の仕切り片と
を備え、
上記接続板が、上記首部に係合する開口又は切り欠きを有し、
上記一対の仕切り片が、上記接続縁で折り曲げられることで、上記ボトルの胴部を平面視で直交する方向から被覆し、
上記仕切り用パッドが上記一対の仕切り片以外の仕切り片を備えない梱包体。
【発明の詳細な説明】
【技術分野】
【０００１】
本発明は、仕切り用パッド及び梱包体に関する。
【背景技術】
【０００２】
段ボール箱等の容器に複数の物品を収容する場合、物品同士が直接接触しないよう、物品間に段ボールシートから形成される仕切り板を挿入することがある。また、容器内を行列状に区画すべく、２枚以上の仕切り板に互いを咬合させるスリットを設け、これらの仕切り板を平面視十字状、井桁状、格子状等に組み合わせた組仕切りも広く用いられている（実用新案登録第３１２３０８５号公報参照）。
【先行技術文献】
【特許文献】
【０００３】
【特許文献１】実用新案登録第３１２３０８５号公報
【発明の概要】
【発明が解決しようとする課題】
【０００４】
上記公報に記載されているような従来の組仕切りを用いる場合、容器内に組仕切りを配置したうえで、この組仕切りで仕切られた空間に物品を収容する。しかしながら、この構成によると、例えば上記物品が飲料用のボトル等である場合に、ボトルを上記空間に入れる際にボトルと組仕切りとが接触する場合がある。その結果、ボトルを容器に適切に収容できないおそれや、組仕切りの損傷等に起因する不良が発生するおそれがある。
【０００５】
本発明は、このような事情に鑑みてなされたものであり、容器内に複数のボトルを容易に収容しつつ、これらのボトルを適切に区画することができる仕切り用パッドを提供することを目的とする。また、本発明は、容器内に複数のボトルが適切に区画された梱包体を提供することを目的とする。
【課題を解決するための手段】
【０００６】
上記課題を解決するためになされた本発明の一態様に係る仕切り用パッドは、容器内に行列状に整列して配置されるボトルの首部に引っ掛けられ、隣接するボトル同士を区画する仕切り用パッドであって、１枚のシート材から構成され、その外周縁に直線状の一対の接続縁を有する接続板と、上記一対の接続縁から延出する一対の仕切り片とを備え、上記接続板が、上記首部に係合する開口又は切り欠きを有し、上記一対の仕切り片が、上記接続縁で折り曲げられることで、上記ボトルの胴部を平面視で直交する方向から被覆する。
【０００７】
上記課題を解決するためになされた本発明の他の一態様に係る梱包体は、容器と、上記容器内に行列状に整列して配置される複数のボトルと、上記ボトルの首部に引っ掛けられ、隣接するボトル同士を区画する仕切り用パッドとを備え、上記仕切り用パッドが、その外周縁に直線状の一対の接続縁を有する接続板と、上記一対の接続縁から延出する一対の仕切り片とを備え、上記接続板が、上記首部に係合する開口又は切り欠きを有し、上記一対の仕切り片が、上記接続縁で折り曲げられることで、上記ボトルの胴部を平面視で直交する方向から被覆する。
【発明の効果】
【０００８】
本発明の一態様に係る仕切り用パッドは、容器内に複数のボトルを容易に収容しつつ、これらのボトルを適切に区画することができる。本発明の他の一態様に係る梱包体は、容器内に複数のボトルを適切に区画することができる。
【図面の簡単な説明】
【０００９】
【図１】図１は、本発明の一実施形態に係る仕切り用パッドを示す模式的平面図（展開図）である。
【図２】図２は、図１の仕切り用パッドの使用時の状態を示す模式的斜視図である。
【図３】図３は、図１の仕切り用パッドを備える梱包体を示す模式的断面図である。
【図４】図４は、図１とは異なる実施形態に係る仕切り用パッドを示す模式的平面図である。
【図５】図５は、図４の仕切り用パッドの使用時の状態を示す模式的斜視図である。
【図６】図６は、図１及び図４とは異なる実施形態に係る仕切り用パッドを示す模式的平面図である。
【図７】図７は、図６の仕切り用パッドの使用時の状態を示す模式的斜視図である。
【発明を実施するための形態】
【００１０】
［本発明の実施形態の説明］
最初に本発明の実施態様を列記して説明する。
【００１１】
本発明の一態様に係る仕切り用パッドは、容器内に行列状に整列して配置されるボトルの首部に引っ掛けられ、隣接するボトル同士を区画する仕切り用パッドであって、１枚のシート材から構成され、その外周縁に直線状の一対の接続縁を有する接続板と、上記一対の接続縁から延出する一対の仕切り片とを備え、上記接続板が、上記首部に係合する開口又は切り欠きを有し、上記一対の仕切り片が、上記接続縁で折り曲げられることで、上記ボトルの胴部を平面視で直交する方向から被覆する。
【００１２】
当該仕切り用パッドは、上記接続板が上記ボトルの首部に引っ掛けられた状態で、上記一対の仕切り片が上記ボトルの胴部を平面視で直交する方向から被覆するので、容器内に複数のボトルを容易に収容しつつ、これらのボトルを適切に区画することができる。すなわち、当該仕切り用パッドは、上記ボトルに取り付けられた状態で上記ボトルと一緒に上記容器内に収容されるので、上記容器内への上記ボトルの収容を妨げ難い。また、当該仕切り用パッドは、上記仕切り片が上記ボトルの胴部を平面視で直交する方向から被覆するので、当該仕切り用パッドが取り付けられた複数のボトルを行列状に整列させることで、各ボトルに取り付けられている各一対の上記仕切り片を全体として井桁状に配置することができる。これにより、容器内で上記複数のボトルを適切に区画することができる。
【００１３】
当該仕切り用パッドは、上記一対の仕切り片以外の仕切り片を備えないとよい。このように、当該仕切り用パッドは、上記一対の仕切り片以外の仕切り片を備えないことによって、省資源化を図ると共に、上記容器内への上記ボトルの収容の容易化を促進することができる。
【００１４】
上記一対の仕切り片が、上記ボトルの胴部を被覆した状態で、上記胴部の中心軸と平行に延びているとよい。このように、上記一対の仕切り片が、上記ボトルの胴部を被覆した状態で、上記胴部の中心軸と平行に延びていることによって、上記容器内で隣接する上記ボトル同士の接触を容易に抑制し、緩衝機能を高めることができる。
【００１５】
上記一対の接続縁同士が垂直に配置されているとよい。このように、上記一対の接続縁同士が垂直に配置されていることによって、上記接続板を上記首部の中心軸に対して垂直に配置することができ、上記一対の仕切り片に加えて、上記接続板を仕切り材として機能させやすい。これにより、上記容器内で上記ボトル同士を適切に区画しやすい。
【００１６】
上記一対の接続縁同士が間隔を空けて配置されているとよい。このように、上記一対の接続縁同士が間隔を空けて配置されていることによって、上記一対の仕切り片同士の干渉を容易に抑制することができる。
【００１７】
上記接続板は、上記開口又は切り欠きのエッジから延出し、上記首部を押止する舌片を有するとよい。このように、上記接続板が、上記開口又は切り欠きのエッジから延出し、上記首部を押止する舌片を有することによって、上記ボトルに取り付けられた状態での当該仕切り用パッドの姿勢をより安定的に保つことができる。
【００１８】
上記シート材が段ボールシートであるとよい。段ボールシートは、上記容器内で上記複数のボトルを容易かつ適切に区画するのに適している。
【００１９】
本発明の他の一態様に係る梱包体は、容器と、上記容器内に行列状に整列して配置される複数のボトルと、上記ボトルの首部に引っ掛けられ、隣接するボトル同士を区画する仕切り用パッドとを備え、上記仕切り用パッドが、その外周縁に直線状の一対の接続縁を有する接続板と、上記一対の接続縁から延出する一対の仕切り片とを備え、上記接続板が、上記首部に係合する開口又は切り欠きを有し、上記一対の仕切り片が、上記接続縁で折り曲げられることで、上記ボトルの胴部を平面視で直交する方向から被覆する。
【００２０】
当該梱包体は、当該仕切り用パッドを備えるので、上記容器内に上記複数のボトルを適切に区画することができる。
【００２１】
以下、適宜図面を参照しつつ、本発明の実施の形態を詳説する。
【００２２】
［第一実施形態］
＜仕切り用パッド＞
図１の仕切り用パッド１０は、容器内に行列状に配置されるボトルの首部に引っ掛けられ、隣接するボトル同士を区画する。当該仕切り用パッド１０は、１枚のシート材から構成される。当該仕切り用パッド１０は、その外周縁に直線状の一対の接続縁１ａを有する接続板１と、一対の接続縁１ａから延出する一対の仕切り片２とを備える。図２に示すように、接続板１は、ボトルＸの首部Ｘ１に係合する開口１ｂを有する。一対の仕切り片２は、接続縁１ａで折り曲げられることで、ボトルＸの胴部Ｘ２を平面視で直交する方向から被覆する。
【００２３】
接続板１の外周縁からは一対の仕切り片２のみが延出している。つまり、当該仕切り用パッド１０は、一対の仕切り片２以外の仕切り片を備えない。当該仕切り用パッド１０は、一対の仕切り片２のみを備えることで、省資源化を図ると共に、上記容器内へのボトルＸの収容の容易化を促進することができる。
【００２４】
当該仕切り用パッド１０に用いられるシートとしては、接続板１及び一対の仕切り片２の使用状態における形状を維持しつつ、上記容器内で隣接するボトルＸ同士の緩衝機能を奏することができる限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該仕切り用パッド１０は、段ボールシートから構成されることで、上記容器内で複数のボトルＸを容易かつ適切に区画することができる。当該仕切り用パッド１０を構成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２５】
（接続板）
図２に示すように、接続板１は、ボトルＸの首部Ｘ１の中心軸に対して垂直に配置される。一対の接続縁１ａ同士は垂直に配置されている。また、接続板１は、各接続縁１ａと対向する一対の非接続縁１ｃを有する。一対の非接続縁１ｃは切断エッジである。接続板１は、一対の接続縁１ａ及び一対の非接続縁１ｃを４辺とする略矩形状であり、より詳しくは略正方形状である。当該仕切り用パッド１０は、一対の接続縁１ａ同士が垂直に配置されていることによって、接続板１をボトルＸの首部Ｘ１の中心軸に対して垂直に配置しやすく、接続板１を仕切り材として機能させやすい。特に、当該仕切り用パッド１０は、接続板１が略正方形状であることで、図３に示すように、容器Ｙ内で、接続縁１ａを隣接するボトルＸの首部Ｘ１に係止された他の仕切り用パッド１０の非接続縁１ｃ（又は容器Ｙの側板の内面）に対向させ、非接続縁１ｃをボトルＸの首部Ｘ１に係止された他の仕切り用パッド１０の接続縁１ａ（又は容器Ｙの側板の内面）に対向させて配置することで、複数のボトルＸを適切に区画しやすい。
【００２６】
一対の接続縁１ａ同士は間隔を空けて配置されている。つまり、一対の接続縁１ａの隣接する端縁同士は連続していない。この構成によると、当該仕切り用パッド１０は、接続縁１ａで折り曲げられた際における一対の仕切り片２同士の干渉を容易に抑制できる。これにより、当該仕切り用パッド１０をボトルＸに取り付けやすい。また、当該仕切り用パッド１０が取り付けられたボトルＸを容器Ｙ内に収容しやすい。
【００２７】
一対の接続縁１ａには折り曲げ容易線が形成されている。この折り曲げ容易線としては、シート材の外面側（ボトルＸに取り付けられた状態で外側に位置する面側）のライナーを切断したハーフカットが挙げられる。この構成によると、一対の仕切り片２を一対の接続縁１ａで容易かつ確実に折り曲げやすい。また、上記折り曲げ容易線の端部には、シート材を両面に亘って切断したスリットが連続して設けられていてもよい。
【００２８】
開口１ｂは略円形である。図２に示すように、開口１ｂ内には、ボトルＸの首部Ｘ１が貫通する。一般にボトルＸの首部Ｘ１は、上方から下方に向けて拡径している。開口１ｂは、首部Ｘ１の途中まではまり込んだ状態で、首部Ｘ１の拡径部分によって下方から支持される。
【００２９】
（仕切り片）
仕切り片２は、接続板１とのみ接続されている。すなわち、当該仕切り用パッド１０は、接続板１及び一対の仕切り片２のみから構成されている。
【００３０】
図２に示すように、一対の仕切り片２は、ボトルＸの胴部Ｘ２を被覆した状態で、胴部Ｘ２の中心軸Ｚと平行に延びている。より詳しくは、一対の仕切り片２は、ボトルＸの胴部Ｘ２を被覆した状態で、その中心軸が上下方向に延びている。この構成によると、当該仕切り用パッド１０は、容器Ｙ内で隣接するボトルＸ同士の接触を容易に抑制し、緩衝機能を高めることができる。
【００３１】
仕切り片２は、その中心軸を長手方向とする略矩形状である。仕切り片２の先端縁の角部は面取りされていてもよい。本実施形態において、仕切り片２は、接続縁１ａと垂直な方向に延出している。
【００３２】
＜梱包体＞
図３に示すように、当該梱包体２０は、方形状の底部を有する容器Ｙと、容器Ｙ内に行列状に整列して配置される複数のボトルＸと、ボトルＸの首部Ｘ１に引っ掛けられ、隣接するボトルＸ同士を区画する図１の仕切り用パッド１０とを備える。
【００３３】
ボトルＸは、容器Ｙの底部上に胴部Ｘ２の中心軸Ｚが上下方向に延びるように配置されている。ボトルＸは、上方から下方に向けて拡径する首部Ｘ１と、首部Ｘ１の下端から下方に連続する胴部とを有する。容器Ｙとしては、特に限定されないが、例えば段ボール箱が挙げられる。
【００３４】
当該梱包体２０は、当該仕切り用パッド１０をボトルＸに取り付けた後に、当該仕切り用パッド１０が取り付けられた複数のボトルＸを容器Ｙ内で行列状に配置することで形成される。すなわち、当該梱包体２０は、従来の組仕切りを用いた梱包体のように、容器内に予め組仕切りを配置したうえで、組仕切りで仕切られた空間にボトルを収容して形成されるものではない。
【００３５】
当該梱包体２０は、隣接するボトルＸの胴部同士の間に１枚の仕切り片２が配置されている。当該梱包体２０は、容器Ｙ内において複数の仕切り片２が全体として井桁状に配置されている。
【００３６】
＜利点＞
当該仕切り用パッド１０は、接続板１がボトルＸの首部Ｘ１に引っ掛けられた状態で、一対の仕切り片２がボトルＸの胴部Ｘ２を平面視で直交する方向から被覆するので、容器Ｙ内に複数のボトルＸを容易に収容しつつ、これらのボトルＸを適切に区画することができる。すなわち、当該仕切り用パッド１０は、ボトルＸに取り付けられた状態でボトルＸと一緒に容器Ｙ内に収容されるので、容器Ｙ内へのボトルＸの収容を妨げ難い。また、当該仕切り用パッド１０は、仕切り片２がボトルＸの胴部Ｘ２を平面視で直交する方向から被覆するので、当該仕切り用パッド１０が取り付けられた複数のボトルＸを行列状に整列させることで、各ボトルＸに取り付けられている各一対の仕切り片２を全体として井桁状に配置することができる。これにより、容器Ｙ内で複数のボトルＸを適切に区画することができる。
【００３７】
当該梱包体２０は、当該仕切り用パッド１０を備えるので、容器Ｙ内に複数のボトルＸを適切に区画することができる。
【００３８】
［第二実施形態］
＜仕切り用パッド＞
図４の仕切り用パッド３０は、１枚のシート材から構成される。当該仕切り用パッド３０は、その外周縁に直線状の一対の接続縁３１ａを有する接続板３１と、一対の接続縁３１ａから延出する一対の仕切り片３２とを備える。図５に示すように、接続板３１は、ボトルＸの首部Ｘ１に係合する開口３１ｂを有する。また、接続板３１は、開口３１ｂのエッジから延出し、首部Ｘ１を押止する舌片３１ｄを有する。当該仕切り用パッド３０は、接続板３１が舌片３１ｄを有することで、ボトルＸに取り付けられた状態での当該仕切り用パッド３０の姿勢をより安定的に保つことができる。当該仕切り用パッド３０は、接続板３１が舌片３１ｄを有する以外、図１の仕切り用パッド１０と同様の構成とすることができる。そのため、以下では舌片３１ｄについてのみ説明する。
【００３９】
（舌片）
舌片３１ｄは、一対の接続縁３１ａから等間隔の位置に設けられている。つまり、舌片３１ｄの中心から各接続縁３１ａに下した垂線の長さは等しい。本実施形態では、舌片３１ｄは、一対の接続縁３１ａの延長線同士の交点と、一対の非接続縁３１ｃの延長線同士の交点とを結ぶ線分上に配置されている。舌片３１ｄは、一対の非接続縁３１ｃ側に設けられている。
【００４０】
舌片３１ｄは、接続板３１の開口３１ｂをボトルＸの首部Ｘ１に通す際に、首部Ｘ１と当接して上方に折れ曲がる。これにより、舌片３１ｄは、シートの反力によって首部Ｘ１を押圧する。当該仕切り用パッド３０が段ボールシートから構成される場合、段ボールシートの中芯の稜線は舌片３１ｄの延出方向と平行であることが好ましい。この構成によると、シートの反力によって首部Ｘ１を押圧しやすい。舌片３１ｄの基端縁には折り曲げ容易線が設けられていてもよい。この場合、この折り曲げ容易線は、シート材の一方の面を僅かに型押しした凹部であることが好ましい。この構成によると、舌片３１ｄを基端縁で折り曲げやすくなると共に、この舌片３１ｄによってボトルＸの首部Ｘ１を十分に押圧することができる。
【００４１】
舌片３１ｄは、延出方向を長手方向とする細長状である。舌片３１ｄの具体的形状としては、例えば長方形、台形、半楕円形等が挙げられる。
【００４２】
＜利点＞
当該仕切り用パッド３０は、容器内に複数のボトルＸを容易に収容しつつ、これらのボトルＸを適切に区画することができる。
【００４３】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００４４】
例えば上記接続板は、上記開口に代えて、ボトルの首部に係合可能な切り欠きを有していてもよい。
【００４５】
上記一対の接続縁同士は垂直に配置されない構成とすることも可能である。図６及び図７を参照して、一対の接続縁同士が垂直に配置されない構成の一例について説明する。
【００４６】
図６の仕切り用パッド４０は１枚のシート材から構成される。当該仕切り用パッド４０は、その外周縁に直線状の一対の接続縁４１ａを有する接続板４１と、一対の接続縁４１ａから延出する一対の仕切り片４２とを備える。図７に示すように、接続板４１は、ボトルＸの首部Ｘ１に係合する開口４１ｂを有する。一対の仕切り片４２は、接続縁４１ａで折り曲げられることで、ボトルＸの胴部Ｘ２を平面視で直交する方向から被覆する。
【００４７】
一対の接続縁４１ａは、その延長線同士が鋭角で交差する。上記延長線同士の交点Ｐの反対側に位置する開口４１ｂのエッジには、ボトルＸの首部Ｘ１に引っ掛けられる係止部４３が形成されている。係止部４３は、交点Ｐの反対側に向けて凸に湾曲している。係止部４３は、例えばアーチ状である。図７に示すように、接続板４１は、ボトルＸに取り付けられた状態で、係止部４３が上方に位置し、交点Ｐが下方に位置するように傾斜している。
【００４８】
当該仕切り用パッド４０は、容器内に複数のボトルＸを容易に収容しつつ、これらのボトルＸを適切に区画することができる。また、当該仕切り用パッド４０は、例えば接続板４１及び／又は一対の仕切り片４２の外面に所望のデザインを施すことで、当該仕切り用パッド４０を商品のラベルとして兼用することも可能である。
【００４９】
上記実施形態では、上記一対の仕切り片は、上記ボトルの胴部を被覆した状態で、上記胴部の中心軸と平行に延びていることが好ましいことを説明した。但し、容器内において隣接するボトル同士を適切に区画できる場合であれば、上記一対の仕切り片は、上記ボトルの胴部を被覆した状態で、上記胴部の中心軸と平行に延びていなくてもよい。
【００５０】
当該仕切り用パッドは、上記一対の接続縁同士が連続して（つまり間隔を空けずに）配置された構成とすることも可能である。
【００５１】
当該梱包体は、図１の仕切り用パッド１０に代えて又は図１の仕切り用パッド１０と共に、図４の仕切り用パッド３０及び／又は図６の仕切り用パッド４０を用いてもよい。
【産業上の利用可能性】
【００５２】
以上のように、本発明の一態様に係る仕切り用パッドは、容器内に複数のボトルを行列状に区画するのに適している。
【符号の説明】
【００５３】
１、３１、４１  接続板
１ａ、３１ａ、４１ａ  接続縁
１ｂ、３１ｂ、４１ｂ  開口
１ｃ、３１ｃ  非接続縁
２、３２、４２  仕切り片
１０、３０、４０  仕切り用パッド
２０  梱包体
３１ｄ  舌片
４３  係止部
Ｐ  一対の接続縁の延長線同士の交点
Ｘ    ボトル
Ｘ１  首部
Ｘ２  胴部
Ｙ  容器
Ｚ  胴部の中心軸
【要約】
【課題】本発明は、容器内に複数のボトルを容易に収容しつつ、これらのボトルを適切に区画することができる仕切り用パッドを提供することを目的とする。
【解決手段】本発明の一態様に係る仕切り用パッドは、容器内に行列状に整列して配置されるボトルの首部に引っ掛けられ、隣接するボトル同士を区画する仕切り用パッドであって、１枚のシート材から構成され、その外周縁に直線状の一対の接続縁を有する接続板と、上記一対の接続縁から延出する一対の仕切り片とを備え、上記接続板が、上記首部に係合する開口又は切り欠きを有し、上記一対の仕切り片が、上記接続縁で折り曲げられることで、上記ボトルの胴部を平面視で直交する方向から被覆する。
【選択図】図１【図１】
0006817480.tif 000002
【図２】
0006817480.tif 000003
【図３】
0006817480.tif 000004
【図４】
0006817480.tif 000005
【図５】
0006817480.tif 000006
【図６】
0006817480.tif 000007
【図７】
0006817480.tif 000008